(57)【要約】【課題】  ストッパー下面の両端部の突片が耳部下面に食い込んで固定させるまでの仮止め状態でも確実に保持できて仮止め中にストッパーが脱落するおそれがないようにする。【解決手段】  軒樋支持具２に対して軒樋１が軒樋１の長手方向に移動しないようにするため軒樋支持具２に当たるストッパーＡを軒樋１の前側の耳部３の近傍に取り付けた軒樋のストッパー取り付け構造である。これにおいて、軒樋１の前壁５の上端から後方に連出した連出片６の先端から下方に前側の耳部３を突設して前壁５の上端部と連出片６と前側の耳部３で囲まれた下方を開口せる保持隙間７を形成する。ストッパーＡの挟着部８を前側の耳部３の側面前方から連出片６と耳部３下面とを挟み込むように挟着すると共にストッパーＡの下面両端の突片１２の弾性にて前側の耳部３下面に食い込ませて固定させる。【選択図】 図１
2005155142.tif 000002
【特許請求の範囲】
【請求項１】
軒先に沿って軒樋を配設すると共に建物に取り付けた軒樋支持具に軒樋の前後の耳部を
嵌合して軒樋を吊り支持し、軒樋支持具に対して軒樋が軒樋の長手方向に移動しないよう
にするため軒樋支持具に当たるストッパーを軒樋の前側の耳部の近傍に取り付けた軒樋の
ストッパー取り付け構造において、軒樋の前壁の上端から後方に連出した連出片の先端か
ら下方に前側の耳部を突設して前壁の上端部と連出片と前側の耳部で囲まれた下方を開口
せる保持隙間を形成し、ストッパーの挟着部を前側の耳部の側面前方から連出片と耳部下
面とを挟み込むように挟着すると共にストッパーの下面両端部の突片の弾性にて前側の耳
部下面に食い込ませて固定させることを特徴とする軒樋へのストッパー取り付け構造。
【発明の詳細な説明】
【技術分野】
【０００１】
本発明は、軒樋を軒樋支持具に吊り支持したとき、軒樋支持具に対して軒樋が軒樋の長
手方向に移動しないように止めるためのストッパーを取り付ける構造に関するものである
。
【背景技術】
【０００２】
従来のこの種のストッパーＡ′として図３や図４に示すものがある（例えば、特許文献
１参照。）。これは略逆Ｌ字状の持ち手ａの下部から一対の差し込み片ｂを間隔を隔てて突
設してあり、差し込み片ｂの先端には横向き半円柱状の嵌合部ｃを設けてあり、一対の差
し込み片ｂの間で持ち手ａの下部から斜め上方に突出するようにばね片ｄを突設してある
。また軒樋ｅの前側の耳部ｆの下には断面半円状の凹所ｈを長手方向に亙って設けてあり
、凹所ｈを開口部ｉにて軒樋ｅ内に開放してある。
【０００３】
軒樋ｅにストッパーＡ′を取り付ける場合、まず、差し込み片ｂの下面側に図３（ｂ）
に示すように接着剤ｊを塗布し、持ち手ａを手で持って図４（ａ）の状態から嵌合部ｃを
開口部ｉに挿入し、図４（ｂ）に示すようにストッパーＡ′を回転し、図４（ｃ）に示す
ように嵌合部ｃを凹所ｈ内に嵌合させ、ばね片ｄを内面に弾接させた状態で接着剤ｊが硬
化するまで保持する。このようにストッパーＡ′を軒樋ｅに取り付けると、軒樋ｅを吊り
支持する軒樋支持具の前端部を一対の差し込み片ｂ間に位置させることで軒樋ｅが軒樋支
持具に対して軒樋ｅの長手方向に移動しないように止められるようになっている。
【特許文献１】特開平１１−９３３５１号公報
【発明の開示】
【発明が解決しようとする課題】
【０００４】
ところが、上記従来例ではストッパーＡ′を軒樋ｅに取り付けた場合、接着剤ｊが乾い
て硬化するまでストッパーＡ′を仮止めするのはストッパーＡ′のばね片ｄの弾性力のみ
にたよっている部分が大きく、接着剤ｊが乾いて硬化するまで強固に係止できているとは
云えない。このため、接着剤ｊが乾いて硬化するまでの仮止め中にストッパーＡ′が抜け
落ちてしまうおそれがある。またストッパーＡ′を取り付けた時、ストッパーＡ′が確実
に取り付けられたか確認し難く、ストッパーＡ′が確実に取り付けられないことが起こる
という問題がある。またストッパーＡ′の嵌合部ｃを嵌め込む際、接着剤ｊが掻き落とさ
れるおそれがあり、接着剤ｊで確実に接着できないという問題がある。
【０００５】
本発明は上記の点に鑑みてなされたものであり、接着剤を塗布する必要がなく、ストッ
パーを耳部の前方より挟着することにより確実に保持できてストッパーが脱落するおそれ
がなく、ストッパー下面の両端部の突片が耳部下面に食い込んで固定されて位置がずれる
ことなく、軒樋が長手方向に移動しないようにする軒樋へのストッパー取り付け構造を提
供することを課題とするものである。
【課題を解決するための手段】
【０００６】
上記課題を解決するための本発明の軒樋へのストッパー取り付け構造は、軒先に沿って
軒樋１を配設すると共に建物の取り付けた軒樋支持具２に軒樋１の前後の耳部３，４を嵌
合して軒樋１を吊り支持し、軒樋支持具２に対して軒樋１が軒樋１の長手方向に移動しな
いようにするため軒樋支持具２に当たるストッパーＡを軒樋１の前側の耳部３の近傍に取
り付けた軒樋のストッパー取り付け構造において、軒樋１の前壁５の上端から後方に連出
した連出片６の先端から下方に前側の耳部３を突設して前壁５の上端部と連出片６と前側
の耳部３で囲まれた下方を開口せる保持隙間７を形成し、ストッパーＡの挟着部８を前側
の耳部３の側面前方から連出片６と耳部３下面とを挟み込むように挟着すると共にストッ
パーＡの下面両端部の突片１２の弾性にて前側の耳部３下面に食い込ませて固定させるこ
とを特徴とする。
【０００７】
このようにストッパーＡの挟着部８を前側の耳部３の側面前方から連出片６と耳部３下
面とを挟み込むように挟着することにより確実に保持できてストッパーが脱落するおそれ
がなく、ストッパーＡの下面両端部の突片１２の弾性にて前側の耳部３下面に食い込ませ
て固定させることにより、ストッパーＡを固定する際、取り付けが完了するまでの仮保持
が従来のばね片によるものに比べて遥かに強固で、簡便に、ストッパーＡが軒樋の長手方
向に位置がずれないように確実に取り付けることができる。
【発明の効果】
【０００８】
本発明はストッパーの挟着部を前側の耳部の側面前方から連出片と耳部下面とを挟み込
むように挟着することにより確実に保持できるとともに、ストッパー下面の両端部の突片
が耳部下面に食い込んで固定されることにより位置がずれることがないため、軒樋が長手
方向に移動しないように固定する際、取り付けが完了するまでの仮保持が従来のばね片に
よるものに比べて遥かに強固で位置ずれがなく、ストッパーが脱落しないように確実に取
り付けることができるものであり、接着剤を塗布する必要がなく取り付けが簡便にできる
ものである。
【発明を実施するための最良の形態】
【０００９】
ストッパーＡは軒樋支持具２に軒樋１を吊り支持したとき軒樋１が軒樋１の長手方向に
移動しないように止めるものであって、金属製にて図２に示すような形状に形成されてい
る。ストッパーＡの挟着部８を前側の耳部３の側面前方から連出片６と耳部３下面とを挟
み込むように挟着するものである。
【００１０】
挟着部８の前側の耳部３の下面に接する側の面には前側の耳部３の下部に係止する凸部
１１を設けてある。挟着部８の先端には前側の耳部３の上部と下部に挿入する挿入部１０
を設けてある。
【００１１】
上記のストッパーＡを取り付ける軒樋１としては図１に示すような形状のものがある。
図１に示す軒樋１は前壁５が全体的に彎曲形状に形成してあり、この軒樋１は前壁５の上
端から後方に向けて軒樋１の長手方向に亙る連出片６を連出してあり、連出片６の先端か
ら下方に突出するように前側の耳部３を長手方向全長に亙って突設してある。そして前壁
５の上端部と連出片６と前側の耳部３とで囲まれ部分に下方を開口せる保持隙間７を形成
してある。また軒樋１の後壁１４の上端には後側の耳部４を長手方向全長に亙って設けて
ある。
【００１２】
軒樋支持具２は支持具本体２ａの後端に鼻板等に取り付けるための取り付け板１５を一
体に設けてあり、支持具本体２ａの先端には前耳係合部を設けてあり、支持具本体２ａの
後端の手前に後耳嵌合部１７を設けてある。この軒樋支持具２は取り付け板１５を鼻板等
に固着することで取り付けられ、軒先に沿って配置した軒樋１の保持隙間７を軒樋支持具
２の前耳係合部を係合すると共に軒樋１の後側の耳部４に後耳嵌合部１７を嵌合すること
で軒樋１が吊り支持される。
【００１３】
上記のように軒樋１を軒樋支持具２で吊り支持した状態で軒樋支持具２に対して軒樋１
が軒樋１の長手方向に移動しないように軒樋支持具２の左右の両側で軒樋１にストッパー
Ａが取り付けられる。図１に示す軒樋１にストッパーＡを取り付ける場合、ストッパーＡ
の上下を手で持って軒樋１の前側の耳部３にストッパーＡの挟着部８を前側の耳部３の側
面前方から連出片６と耳部３下面とを挟み込むように挟着する。このとき、前側の耳部３
と凸部１１とが係止する位置まで挟着され、係止によりパチンという音が発したりして所
定位置まで挟着されたか確認されて所定位置まで確実に挟着される。挟着部８を前側の耳
部３に挟着した状態でストッパーＡの下面両端部の突片１２の弾性にて前側の耳部３下面
に食い込ませて固定される。
【００１４】
上記のように軒樋１にストッパーＡを取り付けることにより、軒樋１が軒樋支持具２に
対して軒樋１の長手方向に移動しないように止めることができるが、本発明のストッパー
Ａの場合、上記のように接着剤を塗布することなく強固に確実に固定できる。また、簡便
に耳部に装着することができ、施工性の向上を図ることができる。
【図面の簡単な説明】
【００１５】
【図１】本発明の実施の形態の一例で軒樋にストッパーを取り付けた状態の断面図である。
【図２】同上のストッパーを示す斜視図である。
【図３】（ａ）は従来例のストッパーの斜視図、（ｂ）はストッパーに接着剤を塗布した状態の斜視図である。
【図４】（ａ）（ｂ）（ｃ）は従来例の軒樋にストッパーを取り付ける状態を説明する断面図である。
【符号の説明】
【００１６】
Ａ  ストッパー
１  軒樋
２  軒樋支持具
３  前側の耳部
４  後側の耳部
５  前壁
６  連出片
７  保持隙間
８  挟着部
１０  凹部
１１  凸部
１２  突片
【図１】
2005155142.tif 000003
【図２】
2005155142.tif 000004
【図３】
2005155142.tif 000005
【図４】
2005155142.tif 000006